(57)【特許請求の範囲】
【請求項１】
吐水口を備え該吐水口から吐水を行う吐水ヘッドと、該吐水ヘッドへの通水を行う通水管との接続構造であって、
前記通水管に雄管部を、前記吐水ヘッドに雌管部を設けてそれらを嵌合させるようになすとともに、該雄管部の外周面に径方向に弾性変形可能なストッパリングを、該雌管部の内周面に該ストッパリングに対して軸方向に係合する係合凹部をそれぞれ設け、該ストッパリングの弾性変形を伴って該雄管部を該雌管部に挿入するとともに、該ストッパリングと係合凹部とが軸方向において対向する位置に到ったところで該ストッパリングを該係合凹部に係入させて、それら吐水ヘッドと通水管とを接続するようになし、且つ該ストッパリングは周方向所定箇所に所定周長に亘り設けた切欠きによって分断してあるとともに前記雄管部に一体回転状態で設けてある一方、前記吐水ヘッドには前記係合凹部よりも先端側に該係合凹部及び前記ストッパリングを露出可能な作業用の開口が確保してあることを特徴とする吐水ヘッドと通水管との接続構造。
【請求項２】
請求項１において、前記ストッパリングと雄管部との一方には回転位置決用の突起が、他方には対応する凹みが設けられていて、それらが回転方向に係合していることを特徴とする吐水ヘッドと通水管との接続構造。
【発明の詳細な説明】
【０００１】
【発明の属する技術分野】
この発明はシャワーヘッドとシャワーホースとの接続に用いて好適な吐水ヘッドと通水管との接続構造に関する。
【０００２】
【従来の技術】
従来、吐水口を備えてその吐水口からの吐水を行うシャワーヘッドを、これに接続したシャワーホースとともに引出可能となした水栓が洗髪洗面用水栓，キッチン用水栓等として広く用いられている。
【０００３】
図１５はこの種水栓の従来の一例を示している。
同図において２００は取付基体としてのカウンターで、このカウンター２００に対し水栓本体２０２と吐水部２０４とが離隔した位置において取付固定されている。
水栓本体２０２には水，湯のサプライ管２０６が接続されており、それらサプライ管２０６を通じて水栓本体２０２に水と湯とが供給される。
【０００４】
水栓本体２０２は、供給された水と湯とをハンドル２０８の操作に基づいて所定比率で混合し、その混合水を流出管２１０を通じて外部に流出する。
この流出管２１０には可撓性のシャワーホース２１２が接続されており、混合水がこのシャワーホース２１２を通じて後述のシャワーヘッド（吐水ヘッド）２１４に送られる。
【０００５】
吐水部２０４はこのシャワーヘッド２１４と、これを保持する管状且つ湾曲形状のヘッドホルダ２１６とを有している。
このヘッドホルダ２１６にはスライド管２１８が一体的に昇降する状態で連結されており、このスライド管２１８が、外周面に雄ねじを有するガイド管２２０内にスライド可能に挿通されている。
【０００６】
シャワーヘッド２１４は下面に吐水口２２２を備え、またその前面には吐水口２２２からの吐水を整流吐水からシャワー吐水に若しくはその逆に切り替える切替操作部２２４を備えている。
このシャワーヘッド２１４には、スライド管２１８，ヘッドホルダ２１６内を挿通したシャワーホース２１２の先端部が接続されており、シャワーヘッド２１４がこのシャワーホース２１２とともにヘッドホルダ２１６から引出可能とされている。
【０００７】
【発明が解決しようとする課題】
この種水栓において、シャワーヘッド２１４とシャワーホース２１２とはねじ接続された上、そのねじ接続部が接着剤にて接着固定されており、この場合シャワーヘッド２１４とシャワーホース２１２との組付性が悪いとともに、ねじ込みの際のトルク管理を適正に行わなければならず、加えてシャワーヘッド２１４とシャワーホース２１２とを分解する際に分解性が悪いといった問題があった。
【０００８】
以上シャワーヘッドとシャワーホースとの接続を例として説明したが、この問題はシャワーヘッドとパイプ状の通常の通水管との接続に際して、或いはシャワーヘッド以外の吐水ヘッドとシャワーホース或いは剛性の通水パイプ等の通水管との接続に際しても共通に生じ得る。
【０００９】
【課題を解決するための手段】
本発明の吐水ヘッドと通水管との接続構造はこのような課題を解決するために案出されたものである。
而して請求項１のものは、吐水口を備え該吐水口から吐水を行う吐水ヘッドと、該吐水ヘッドへの通水を行う通水管との接続構造であって、前記通水管に雄管部を、前記吐水ヘッドに雌管部を設けてそれらを嵌合させるようになすとともに、該雄管部の外周面に径方向に弾性変形可能なストッパリングを、該雌管部の内周面に該ストッパリングに対して軸方向に係合する係合凹部をそれぞれ設け、該ストッパリングの弾性変形を伴って該雄管部を該雌管部に挿入するとともに、該ストッパリングと係合凹部とが軸方向において対向する位置に到ったところで該ストッパリングを該係合凹部に係入させて、それら吐水ヘッドと通水管とを接続するようになし、且つ該ストッパリングは周方向所定箇所に所定周長に亘り設けた切欠きによって分断してあるとともに前記雄管部に一体回転状態で設けてある一方、前記吐水ヘッドには前記係合凹部よりも先端側に該係合凹部及び前記ストッパリングを露出可能な作業用の開口が確保してあることを特徴とする。
【００１０】
請求項２のものは、請求項１において、前記ストッパリングと雄管部との一方には回転位置決用の突起が、他方には対応する凹みが設けられていて、それらが回転方向に係合していることを特徴とする。
【００１１】
【作用及び発明の効果】
上記のように請求項１のものは、吐水ヘッドと通水管とを雄管部と雌管部とにおいて互いに嵌合させるようになすとともに、雄管部にストッパリングを径方向に弾性変形可能に設ける一方、雌管部に係合凹部を設け、そのストッパリングの弾性変形を伴って雄管部を雌管部に挿入し、そしてそれらを軸方向の所定位置で互いに軸方向に係合させるようになしたもので、この接続構造によれば、単に雄管部を雌管部に挿入するだけでワンタッチで簡単に雄管部と雌管部との接続、即ち吐水ヘッドと通水管との接続作業を、従来のようにねじ込トルクの管理を行うことなく容易に行うことができる。
【００１２】
この請求項１のものは、ストッパリングを周方向所定箇所の切欠きによって分断するとともにこれを雄管部に一体回転状態に設け、また吐水ヘッドには係合凹部及びストッパリングを露出可能な作業用の開口を確保したもので、このようにしておけば、吐水ヘッドと通水管とを分解する際にこれを容易に行うことができる。
【００１３】
具体的には、吐水ヘッドに確保された作業用の開口を通じてストッパリングを縮径操作し、これによりストッパリングと係合凹部との係合を解除することで、吐水ヘッドと通水管とを軸方向に移動可能となし、それらを分解することができる。
このときストッパリングは通水管と一体回転状態に設けられているため、通水管を回転させることによってストッパリングの切欠きを、吐水ヘッドに確保した作業用の開口に正しく向う位置に回転位置の位置調整を容易に行い得、そしてその切欠きを間にして互いに対向するストッパリングの周方向両端を、ラジオペンチ等の工具にて収縮方向に挟むことで、簡単にストッパリングを縮径変形させることができる。
【００１４】
この場合において、ストッパリングと雄管部との一方には回転位置決用の突起を、他方には対応する凹みを設けておいて、それらを回転方向に係合させることで、ストッパリングと通水管とを一体回転状態となすことができる（請求項２）。
【００１５】
【実施例】
次に本発明の実施例を図面に基づいて詳しく説明する。
図１は水栓の一例を示したもので、図中１０は取付基体としてのカウンターであり、このカウンター１０に対し水栓本体１２と吐水部１４とが互いに離隔した位置において取付固定されている。
水栓本体１２には水，湯のサプライ管１６が接続されており、それらサプライ管１６を通じて水と湯とが水栓本体１２に供給される。
【００１６】
水栓本体１２は供給された水と湯とをハンドル１８の回転操作に基づいて所定比率で混合し、その混合水を流出管２０を通じて外部に流出する。
この流出管２０には可撓性のシャワーホース２２が接続されており、このシャワーホース２２を通じて混合水が後述のシャワーヘッド（吐水ヘッド）２４に導かれる。
【００１７】
吐水部１４はこのシャワーヘッド２４と、これを保持する管状且つ湾曲形状のヘッドホルダ２６とを有している。
ヘッドホルダ２６にはスライド管２８が一体的に昇降するように連結されており、そのスライド管２８が、外周面に雄ねじを有するガイド管３０内にスライド可能に挿通されている。
【００１８】
シャワーヘッド２４は下面に吐水口３２を備え、またその前面には吐水口３２からの吐水を整流吐水からシャワー吐水に若しくはその逆に切替操作する切替操作部３４を備えている。
このシャワーヘッド２４には上記シャワーホース２２の先端部が接続されており、シャワーヘッド２４がヘッドホルダ２６からシャワーホース２２とともに引出可能とされている。
【００１９】
図２及び図３にシャワーヘッド２４とその周辺部の内部構造が具体的に示してある。
同図に示しているようにヘッドホルダ２６の先端部には円筒形状をなすホースガイド３６が弾性係止爪３８と係止孔４０との係止により装着されている。
【００２０】
このホースガイド３６は、シャワーホース２２を内部に挿通して摺動ガイドを行うもので、前方に突出する雄嵌合部４２を有している。
一方シャワーヘッド２４には対応する雌嵌合部４４が設けられており、これら雌嵌合部４４と雄嵌合部４２との嵌合に基づいて、シャワーヘッド２４がヘッドホルダ２６に脱着可能に保持されている。
尚、ホースガイド３６の後端部には小径の円筒形状をなす水切スペーサ４５が装着されている。この水切スペーサ４５は、シャワーホース２２の外面を伝う水の水切りを行う部材である。
【００２１】
吐水ヘッド２４の下部はキャップ４６として構成されており、このキャップ４６の下面中央部に整流吐水口３２Ａが、更にこれを取り巻く位置において多数のシャワー吐水口３２Ｂが形成されている。
ここでキャップ４６は、その上部のヘッド本体４８に対しねじ結合により脱着可能に取り付けられている。
【００２２】
シャワーヘッド２４の内部には、プレート４９と、そのプレート４９の上面を摺動する弁体５０とが設けられている。
プレート４９には、整流吐水口３２Ａに到る整流水通路５２Ａと連通する開口５４Ａと、シャワー吐水口３２Ｂに到るシャワー水通路５２Ｂに連通した図示しない今一つの開口とが設けられており、それら２つの開口が弁体５０の摺動によって択一的に開放ないし閉鎖されるようになっている。
【００２３】
図２は弁体５０が開口５４Ａを閉鎖した状態を表しており、この状態ではシャワーホース２２からシャワーヘッド２４に導かれた混合水が、図示しない今一方の開口を通じてシャワー水通路５２Ｂへと流れ込み、引き続いてシャワー吐水口３２Ｂからシャワー吐水される。
【００２４】
またその今一方の開口を弁体５０が閉鎖した状態では開口５４Ａが開放された状態となり、この状態ではシャワーヘッド２４に導かれた混合水が、開口５４Ａから整流水通路５２Ａに流れ込み、続いて整流吐水口３２Ａから整流吐水される。
【００２５】
弁体５０には軸部５６が一体回転状態に設けられており、その軸部５６が、上記シーソースイッチ式の切替操作部３４に一体回転状態に連結されている。
即ちシーソースイッチ式の切替操作部３４を切替操作すると、軸部５６を介して弁体５０がプレート４９上を摺動運動し、整流吐水からシャワー吐水に若しくはその逆に吐水状態を切り替える。
【００２６】
図６に明らかに示しているように、シャワーホース２２の先端部には雄管部５８が設けられている。
一方シャワーヘッド２４には、図５に示しているように雌管部６０が設けられており、その雌管部６０に対し雄管部５８が、そこに装着された弾性シールリングとしてのＯリング６２を介して水密に嵌合するようになっている。
【００２７】
この雄管部５８の先端にはフランジ６４が設けられており、そのフランジ６４の後側の部分に円環状の収容溝６６が形成されていて、そこに径方向に拡径・縮径可能な弾性を有するストッパリング７０が装着されている。
【００２８】
ここでストッパリング７０の内面と収容溝６６の底面との間には、図７(Ｉ)(Ａ)，(II)(Ａ)に示しているように所定の隙間が確保されており（ストッパリング７０が原形状である拡径状態にあるとき）、その隙間に基づいて収容溝６６に装着されたストッパリング７０が求心方向に弾性的に縮径可能とされている。
【００２９】
図６に示しているように、ストッパリング７０には一対の周方向端７１と７１との間に切欠き７２が所定周長に亘り形成されており、この切欠き７２によってストッパリング７０が周方向に分断されている。
【００３０】
ストッパリング７０は、円筒部７４とその外周面から径方向外方に立ち上がる鍔状部７６を有しており、図３に示しているようにこの鍔状部７６が、シャワーヘッド２４における雌管部６０に形成された略環状の係合溝（係合凹部）７８内に係入して係合溝７８に対し軸方向に係合し、その係合作用によりシャワーホース２２とシャワーヘッド２４とが軸方向に接続されるようになっている。
【００３１】
尚、図６に示しているようにストッパリング７０における円筒部７４には回転方向位置を定めるための突起８０が設けられており、この突起８０が、雄管部５８におけるフランジ６４の凹み８２に嵌入し、それらによってストッパリング７０がシャワーホース２２とともに一体回転するようになっている。
【００３２】
本例の水栓の場合、次のようにしてシャワーヘッド２４とシャワーホース２２とを接続することができる。
即ち、図７（Ｉ）に示しているようにシャワーホース２２にストッパリング７０を装着した状態の下で、図７（II）に示しているようにシャワーホース２２の先端部の雄管部５８をシャワーヘッド２４の雌管部６０内部に挿入する。
【００３３】
このとき、図８（III）に示しているように雄管部５８に装着されたストッパリング７０が弾性的に縮径変形し、そして図８（IV）に示しているようにストッパリング７０が、詳しくはその鍔状部７６がシャワーヘッド２４の係合溝７８に対し軸方向に対向する位置に到ったところで、ストッパリング７０が原形状に拡径変形し、係合溝７８内に係入する。
ここにおいてストッパリング７０の鍔状部７６と係合溝７８とが軸方向に係合した状態となって、シャワーホース２２とシャワーヘッド２４とが軸方向に結合される。
【００３４】
図９〜図１１はシャワーホース２２とシャワーヘッド２４とを分解する際の作用を示したものである。
同図に示しているように本例では次のようにしてシャワーホース２２とシャワーヘッド２４とを分解することができる。
即ち、先ずシャワーヘッド２４におけるキャップ４６及びプレート４９を取り外した状態とする。この状態でシャワーヘッド２４には、図４及び図９（Ｉ）に示しているように開口８４，８６が生ずる。
【００３５】
そこでシャワーホース２２を回転操作することで、その先端部に装着されたストッパリング７０を一体回転させ、図９（II）に示しているようにストッパリング７０の周方向両端７１を開口８６に臨む位置に位置させる。
【００３６】
この状態で、図１０（III）に示しているようにストッパリング７０の周方向両端７１をラジオペンチ等の工具にて挟み付け、ストッパリング７０を縮径させる。
これによりストッパリング７０と係合溝７８との係合が外れた状態となるので、そこで図１０（IV）に示しているようにシャワーホース２２を図中右方向に引き抜く。
ここにおいて、図１１（Ｖ）に示しているようにシャワーヘッド２４とシャワーホース２２とが分離した状態となる。
【００３７】
以上のような本例の接続構造によれば、単にシャワーホース２２の雄管部５８をシャワーヘッド２４の雌管部６０に挿入するだけで、ワンタッチで雄管部５８と雌管部６０との接続、即ちシャワーホース２２とシャワーヘッド２４との接続組付作業を、従来のようにねじ込トルクの管理を必要とせずに簡単に行うことができる。
【００３８】
また一方シャワーホース２２とシャワーヘッド２４とを分解する際には、シャワーヘッド２４の開口８４，８６を作業用の開口として用い、ストッパリング７０を挟み付けて縮径させることにより、簡単にストッパリング７０と係合溝７８との係合解除をなし得て、シャワーヘッド２４とシャワーホース２２とを軸方向に分離し接続を外すことができる。
【００３９】
その際ストッパリング７０はシャワーホース２２と一体回転状態に設けられているため、シャワーホース２２を回転操作することによってストッパリング７０における周方向両端７１を容易に開口８６に臨む位置に位置させることができ、ストッパリング７０に対する縮径操作を簡単に行うことができる。
【００４０】
図１２，図１３，図１４は本発明の他の実施例を示している。
図１２に示しているようにこの例の水栓はシングルレバー式の混合水栓であって、水栓本体８８の上部にハンドル９０が左右及び上下回転可能に設けられている。また水栓本体８８の下面からは吐水管９２が前方に延び出している。
吐水管９２は先端のシャワーヘッド２４と、そこに通水を行うための金属パイプから成る剛性（非可撓性）の通水管９４とから成っている。
【００４１】
図１４に示しているように、通水管９４の先端部は円筒部材９６を介してシャワーヘッド２４に対し軸方向に結合されている。
通水管９４には、上記実施例と同様にその先端部に雄管部５８が設けられていてそこにＯリング６２が装着され、その雄管部５８がシャワーヘッド２４の対応する雌管部６０にＯリング６２を介して水密に嵌合するようになっている。
【００４２】
この雄管部５８にはまた、上記実施例と同様の構造でストッパリング７０が装着されており、そのストッパリング７０が、シャワーヘッド２４における雌管部６０の係合溝７８に軸方向に係合することで、通水管９４とシャワーヘッド２４との接続が行われている。
尚その接続構造については上記実施例と同様であるので、ここでは同一箇所に同一符号を示すのみで詳しい説明は省略する。
【００４３】
本例においても、通水管９４とシャワーヘッド２４とを簡単に接続作業することができ、また分解に際しても簡単にそれらを分解作業することができる。
【００４４】
以上本発明の実施例を詳述したがこれはあくまで一例示である。
例えば上記実施例ではシャワーヘッドとシャワーホース或いはパイプ状の通水管とを接続する場合を例として説明したが、本発明は単に整流吐水のみを行う吐水ヘッドとこれにつながるホース或いはパイプ状の通水管との接続に際して適用することも可能であるなど、その主旨を逸脱しない範囲において種々変更を加えた形態で構成可能である。
【図面の簡単な説明】
【図１】  本発明の一実施例である接続構造を含む水栓の一例を示す図である。
【図２】  同じ実施例のシャワーヘッドとその周辺部を示す要部断面図である。
【図３】  図２のシャワーヘッドをシャワーホースとともに引き出した状態を示す要部断面図である。
【図４】  図３に示すシャワーヘッドの側面断面図及びキャップ，プレートの取外し状態の底面図である。
【図５】  図４に示すシャワーヘッドとシャワーホースとを分解した状態で示す断面図である。
【図６】  図４に示すシャワーヘッドとシャワーホースとを分解した状態で示す斜視図である。
【図７】  同じ実施例のシャワーヘッドとシャワーホースとを接続する際の手順及び作用の説明図である。
【図８】  図７に続く手順及び作用の説明図である。
【図９】  同じ実施例のシャワーヘッドとシャワーホースとを分解する際の手順及び作用の説明図である。
【図１０】  図９に続く手順及び作用の説明図である。
【図１１】  図１０に続く手順及び作用の説明図である。
【図１２】  本発明の他の実施例の接続構造を含む水栓の例を示す図である。
【図１３】  同じ実施例のシャワーヘッドをその周辺部とともに示す断面図である。
【図１４】  図１３のシャワーヘッドと通水管とを分解した状態で示す断面図である。
【図１５】  本発明の背景説明のための説明図である。
【符号の説明】
２２  シャワーホース
２４  シャワーヘッド（吐水ヘッド）
３２，３２Ａ，３２Ｂ  吐水口
５８  雄管部
６０  雌管部
７０  ストッパリング
７２  切欠き
７８  係合溝（係合凹部）
８０  突起
８２  凹み
８４，８６  開口（作業用の開口）
９４  通水管
【図１】
0003678976.tif 000002
【図２】
0003678976.tif 000003
【図３】
0003678976.tif 000004
【図４】
0003678976.tif 000005
【図５】
0003678976.tif 000006
【図６】
0003678976.tif 000007
【図７】
0003678976.tif 000008
【図８】
0003678976.tif 000009
【図９】
0003678976.tif 000010
【図１０】
0003678976.tif 000011
【図１１】
0003678976.tif 000012
【図１２】
0003678976.tif 000013
【図１３】
0003678976.tif 000014
【図１４】
0003678976.tif 000015
【図１５】
0003678976.tif 000016